【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
第１の記録媒体に映像情報を記録再生する第１の記録再生手段と、
第２の記録媒体に映像情報を記録再生する第２の記録再生手段と、
当該第１の記録媒体の空き容量を検出する空き容量検出手段と、
当該第１の記録媒体の空き容量が第１の参照値（α）に低下すると、当該第１及び第２の記録再生手段を制御して、当該第１の記録媒体の記録済み映像情報を当該第２の記録媒体に転送させる記録制御手段と、
当該第１及び第２の記録媒体の何れかに記録済みの映像情報の再生指示に対し、指示された映像情報がすべて当該第２の記録媒体に記録されている場合には、当該第２の記録再生手段に当該指示された映像情報を再生させ、指示された映像情報がすべて当該第１の記録媒体に記録されている場合には、当該第１の記録再生手段に当該指示された映像情報を再生させ、指示された映像情報の一部が当該第２の記録媒体に記録され、残りが当該第１の記録媒体に記録されている場合には、当該第２の記録再生手段に記録されている映像情報を再生させ、続けて、当該第１の記録再生手段に記録されている映像情報を再生させる再生制御手段
とを具備することを特徴とする映像記録再生装置。
【請求項２】
当該記録制御手段は、当該第１の記録媒体から当該第２の記録媒体への映像情報の転送中に、当該第１の記録媒体の空き容量が当該第１の参照値（α）より大きい第２の参照値（β）に達すると、当該第１の記録媒体から当該第２の記録媒体への映像情報の転送を停止することを特徴とする請求項１に記載の映像記録再生装置。
【請求項３】
当該第１の記録再生手段は、当該第１の記録媒体から当該第２の記録媒体への映像情報の転送中も、当該第１の記録媒体への映像情報の記録を継続することを特徴とする請求項１又は２に記載の映像記録再生装置。
【請求項４】
当該記録制御手段は、当該第１の記録媒体から当該第２の記録媒体への映像情報の転送中に、当該第１の記録媒体への映像情報の記録が中止されると、当該第１の記録媒体から当該第２の記録媒体への映像情報の転送を中止することを特徴とする請求項１乃至３の何れか１項に記載の映像記録再生装置。
【請求項５】
当該第１の記録再生手段は、当該第１の記録媒体に残された未転送の映像情報を管理するための中間データを前記第１の記録媒体に記録することを特徴とする請求項１乃至４の何れか１項に記載の映像記録再生装置。
【請求項６】
当該第２の記録再生手段は、当該第２の記録媒体に対してファイナライズ処理を実行可能であって、
当該記録制御手段は、当該第２の記録再生手段によるファイナライズ処理の実行に応じて、当該第１の記録媒体に未転送の映像情報があるか否かを調べ、当該未転送の映像情報がある場合には、当該未転送の映像情報を当該第２の記録媒体に転送させる
ことを特徴とする請求項５に記載の映像記録再生装置。
【請求項７】
当該第１の記録再生手段は、当該第２の記録再生手段によるファイナライズ処理の実行時に当該中間データを適用することを特徴とする請求項６に記載の映像記録再生装置。
【請求項８】
使用者による操作に応じて、当該第１の記録媒体及び当該第２の記録媒体の少なくとも一方を取り外す際に、当該第１の記録媒体に映像情報が残っている場合には警告する警告手段をさらに有することを特徴とする請求項１乃至７の何れか１項に記載の映像記録再生装置。
【請求項９】
さらに撮像手段と符号化手段とを具備し、当該撮像手段によって生成された映像情報が当該符号化手段によって符号化された後、当該第１の記録再生手段によって当該第１の記録媒体に記録されることを特徴とする請求項１乃至８の何れか１項に記載の映像記録再生装置。
【請求項１０】
さらに、当該第１及び第２の記録媒体に記録された各映像情報の代表画像を並べて表示する表示手段を具備し、当該表示手段は、各映像情報の代表画像と共に、各映像情報が当該第２の記録媒体に記録されていること、当該第１の記録媒体に記録されていること、及び、当該第１の記録媒体と当該第２の記録媒体に分かれて記録されていることの何れかを示す情報を表示することを特徴とする請求項１乃至９の何れか１項に記載の映像記録再生装置。
【手続補正２】
【補正対象書類名】明細書
【補正対象項目名】０００９
【補正方法】変更
【補正の内容】
【０００９】
上記の目的を達成するため、本発明に係る映像記録再生装置は、第１の記録媒体に映像情報を記録再生する第１の記録再生手段と、第２の記録媒体に映像情報を記録再生する第２の記録再生手段と、当該第１の記録媒体の空き容量を検出する空き容量検出手段と、当該第１の記録媒体の空き容量が第１の参照値（α）に低下すると、当該第１及び第２の記録再生手段を制御して、当該第１の記録媒体の記録済み映像情報を当該第２の記録媒体に転送させる記録制御手段と、当該第１及び第２の記録媒体の何れかに記録済みの映像情報の再生指示に対し、指示された映像情報がすべて当該第２の記録媒体に記録されている場合には、当該第２の記録再生手段に当該指示された映像情報を再生させ、指示された映像情報がすべて当該第１の記録媒体に記録されている場合には、当該第１の記録再生手段に当該指示された映像情報を再生させ、指示された映像情報の一部が当該第２の記録媒体に記録され、残りが当該第１の記録媒体に記録されている場合には、当該第２の記録再生手段に記録されている映像情報を再生させ、続けて、当該第１の記録再生手段に記録されている映像情報を再生させる再生制御手段とを具備することを特徴とする。
【手続補正３】
【補正対象書類名】明細書
【補正対象項目名】００２０
【補正方法】変更
【補正の内容】
【００２０】
デジタルビデオカメラ１０の撮像モード、記録モード及び再生モードの各動作を説明する。本実施例では、メモリ媒体１６又はディスク媒体１８に直接、記録する単独記録モードと、メモリ媒体１６を介してディスク媒体１８に記録する併用記録モードの２つの方法を選択可能である。
【手続補正４】
【補正対象書類名】明細書
【補正対象項目名】００２４
【補正方法】変更
【補正の内容】
【００２４】
次に、併用記録モードの動作を説明する。図２は、併用記録モードの記録転送処理を示すフローチャートである。図３（ａ）はメモリ媒体１６の書込み／読み出しアドレスの遷移を示し、図３（ｂ）は、メモリ媒体１６の空き容量の変化を示し、図３（ｃ）はディスク媒体１８の書込みアドレスの遷移を示す図である。図３（ａ）の実線３０は、メモリ媒体１６の書込みアドレスを示し、一点鎖線３２は読み出しアドレスを示す。図３（ｃ）の実線３４は、ディスク媒体１８の書込みアドレスを示す。
【手続補正５】
【補正対象書類名】明細書
【補正対象項目名】００２５
【補正方法】変更
【補正の内容】
【００２５】
メモリ媒体１６の空き容量は、書込みアドレスと読み出しアドレスの差から容易に計算できる。例えば、原則として、書込みアドレスが読み出しアドレスより大きい場合、その差が記録済みデータ量であり、全容量から記録済みデータ量を減算した結果が空き容量となる。逆に、書込みアドレスが読み出しアドレスより小さい場合、その差が空き容量となる。ここでは、メモリ媒体１６の書込み速度はメモリ媒体１６の読み出し速度より遅いとする。
【手続補正６】
【補正対象書類名】明細書
【補正対象項目名】００３０
【補正方法】変更
【補正の内容】
【００３０】
停止スイッチが押された時点では、メモリ媒体１６の書込みアドレスとメモリ媒体１６の読み出しアドレスの間に未転送の映像ストリームが存在する。この未転送分の映像ストリームは、後述するファイナライズ処理前にディスク媒体１８に転送されるが、その詳細は後述する。